(57)【要約】【課題】桟木等を壁面に固定することなく、収納ユニットを室内の入隅部に取り付けることができる収納ユニットの取付構造を提供する。【解決手段】入隅部の壁面に固定設置されるバックパネル１０と、このバックパネル１０に取り付ける収納ユニット３０、４０と、収納ユニット３０、４０をバックパネル１０に支持するカムロック固定具とを備えている。バックパネル１０には、所定の高さ位置にカムロック固定具のねじを螺着するねじ孔が形成されており、入隅部の壁面に固定設置されたバックパネル１０に、カムロック固定具を介して、収納ユニット３０、４０を位置決めした状態で、それぞれの背板３４、４３部分をバックパネル１０にねじ止めすることで、収納ユニット３０、４０がバックパネル１０に取り付けられている。【選択図】        図１
2016067578.tif 000002
【特許請求の範囲】
【請求項１】
室内の入隅部における収納ユニットの取付構造であって、
前記入隅部の壁面に固定設置されるバックパネルと、
前記バックパネルに取り付ける収納ユニットと、
前記収納ユニットをバックパネルに支持する支持部材と
を備え、
前記バックパネルには、所定の高さ位置に前記支持部材の取付孔が形成されており、
前記入隅部の壁面に固定設置した前記バックパネルの取付孔に前記支持部材を取り付け、その支持部材に前記収納ユニットを支持した状態で、前記収納ユニットをバックパネルにねじ留めしたことを特徴とする収納ユニットの取付構造。
【請求項２】
前記収納ユニットは、天板と、底板と、前記天板及び底板を連結する背板とを備えており、前記底板部分が前記支持部材に支持された状態で、前記背板部分が前記バックパネルにねじ留めされている請求項１に記載の収納ユニットの取付構造。
【請求項３】
前記バックパネルは複数のパネルユニットに分割されており、
分割された複数の前記パネルユニットを、前記入隅部の壁面に取り付けられたコンセント部分を避けるように配置した状態で、前記入隅部の壁面に固定設置することで、前記バックパネルに前記コンセントを露出させる開口を形成した請求項１または２に記載の収納ユニットの取付構造。
【発明の詳細な説明】
【技術分野】
【０００１】
この発明は、室内の入隅部における収納ユニットの取付構造に関する。
【背景技術】
【０００２】
室内の入隅部に引き出しユニット等の収納ユニットを取り付ける場合、水準器等を用いて、入隅部の壁面に桟木を水平に取り付け、収納ユニットの後端部を桟木に載置することによって水平に位置決めした状態で、収納ユニットを壁面にねじ留めすることによって固定している。
【先行技術文献】
【特許文献】
【０００３】
【特許文献１】特開平０８−２８０４５４号公報
【発明の概要】
【発明が解決しようとする課題】
【０００４】
しかしながら、こういった収納ユニットの取付構造では、最終的に桟木が露出してしまうので、体裁が悪いといった問題がある。
【０００５】
そこで、この発明の課題は、桟木等を壁面に固定することなく、収納ユニットを室内の入隅部に取り付けることができる収納ユニットの取付構造を提供することにある。
【課題を解決するための手段】
【０００６】
上記の課題を解決するため、請求項１に係る発明は、室内の入隅部における収納ユニットの取付構造であって、前記入隅部の壁面に固定設置されるバックパネルと、前記バックパネルに取り付ける収納ユニットと、前記収納ユニットをバックパネルに支持する支持部材とを備え、前記バックパネルには、所定の高さ位置に前記支持部材の取付孔が形成されており、前記入隅部の壁面に固定設置した前記バックパネルの取付孔に前記支持部材を取り付け、その支持部材に前記収納ユニットを支持した状態で、前記収納ユニットをバックパネルにねじ留めしたことを特徴とする収納ユニットの取付構造を提供するものである。
【０００７】
また、請求項２に係る発明は、請求項１に係る発明の収納ユニットの取付構造において、前記収納ユニットは、天板と、底板と、前記天板及び底板を連結する背板とを備えており、前記底板部分が前記支持部材に支持された状態で、前記背板部分が前記バックパネルにねじ留めされていることを特徴としている。
【０００８】
また、請求項３に係る発明は、請求項１または２に係る発明の収納ユニットの取付構造において、前記バックパネルは複数のパネルユニットに分割されており、分割された複数の前記パネルユニットを、前記入隅部の壁面に取り付けられたコンセント部分を避けるように配置した状態で、前記入隅部の壁面に固定設置することで、前記バックパネルに前記コンセントを露出させる開口を形成したことを特徴としている。
【発明の効果】
【０００９】
以上のように、請求項１に係る発明の収納ユニットの取付構造は、所定の高さ位置に支持部材の取付孔が形成されたバックパネルを、入隅部の壁面に固定設置し、そのバックパネルの取付孔に取り付けた支持部材に収納ユニットを支持した状態で、収納ユニットをバックパネルにねじ留めするようにしたので、バックパネルを入隅部の壁面に所定状態で固定設置することにより、バックパネルに取り付けた支持部材を水平状態に整列させることができる。従って、支持部材に収納ユニットを支持するだけで、収納ユニットを水平状態に位置決めすることができるので、従来のように、壁面に桟木を水平に取り付ける必要がなく、すっきりと仕上げることができる。
【００１０】
特に、請求項２に係る発明の収納ユニットの取付構造のように、天板と、底板と、天板及び底板を連結する背板とを備えた収納ユニットを採用し、この収納ユニットの底板部分を支持部材に支持すると共に、背板部分をバックパネルにねじ留めするようにしておくことが望ましい。
【００１１】
また、請求項３に係る発明の収納ユニットの取付構造では、バックパネルを複数のパネルユニットに分割し、分割された複数のパネルユニットを、入隅部の壁面に取り付けられたコンセント部分を避けるように配置した状態で、入隅部の壁面に固定設置することで、バックパネルにコンセントを露出させる開口を形成したので、現場において、ある程度の厚みのある１枚もののバックパネルに，コンセントを露出させるための孔加工を施す必要がなく、施工性が向上する。
【図面の簡単な説明】
【００１２】
【図１】この発明に係る収納ユニットの取付構造を示す斜視図である。
【図２】同上の取付構造に使用されるバックパネルを示す斜視図である。
【図３】同上のバックパネルに取り付けられる棚板を示す下面図である。
【図４】同上のバックパネルに取り付けられるボックスタイプの収納ユニットを示す分解斜視図である。
【図５】（ａ）は同上のボックスタイプの収納ユニットを構成している天板を示す下面図、（ｂ）は同上のボックスタイプの収納ユニットを構成している底板を示す下面図である。
【図６】同上のバックパネルに取り付けられる引き出しタイプの収納ユニットを示す分解斜視図である。
【図７】同上の引き出しタイプの収納ユニットを構成している底板を示す下面図である。
【発明を実施するための形態】
【００１３】
以下、実施の形態について図面を参照して説明する。図１は、この発明に係る室内の入隅部の壁面に取り付けられた収納ユニットの取付構造を示している。この収納ユニットの取付構造は、同図に示すように、リビングダイニングの入隅部の壁面Ｗ１、Ｗ２に固定設置されるバックパネル１０と、このバックパネル１０に取り付けられる、棚板２０、前面の蓋フラップが開閉するボックスタイプの収納ユニット３０、引き出しタイプの収納ユニット４０及び小物を載置するための金属製の小型ラックＬ１と、棚板２０及び収納ユニット３０、４０をバックパネル１０に支持する支持部材を備えており、バックパネル１０には、棚板２０及び収納ユニット３０、４０の他に、小物を載置するための金属製の小型ラックＬ１が取り付けられている。なお、対面キッチンの開口部を構成している間仕切壁の端面には、無目枠ＦＭが取り付けら、その無目枠ＦＭにスパイス等の小物を載せるための金属製の小型ラックＬ２が取り付けられている。
【００１４】
前記支持部材としては、バックパネル１０に螺着するねじと、棚板２０や収納ユニット３０、４０に取り付けるねじ受けとからなるカムロック固定具が使用されており、バックパネル１０に螺着したねじの頭部を、棚板２０や収納ユニット３０、４０に取り付けたねじ受けに係合させた状態で、ねじ受けをドライバーで締め付けることで、棚板２０や収納ユニット３０、４０がバックパネル１０に固定されるようになっている。
【００１５】
前記バックパネル１０は、図２に示すように、４種類のパネルユニット１１、１２、１３、１４によって構成されており、これらのパネルユニット１１、１２、１３、１４を適宜組み合わせることによって、入隅部の壁面Ｗ１、Ｗ２を覆っている。
【００１６】
入隅部の一方の壁面Ｗ１を覆うバックパネル１０は、２枚のパネルユニット１１、１２によって構成されており、この２枚のパネルユニット１１、１２によって壁面Ｗ１が完全に覆われている。
【００１７】
入隅部の他方の壁面Ｗ２には、その下部にコンセントＣが設置されているので、このコンセントＣ部分を避けるように、高さの異なる３種類のパネルユニット１１、１３、１４を配置することで、コンセントＣの周辺部分を除く領域がパネルユニット１１、１３、１４によって覆われている（図２参照）。従って、入隅部の壁面Ｗ１、Ｗ２を覆うバックパネル１０には、コンセントを露出させる開口が形成された状態となっている。
【００１８】
前記パネルユニット１１、１２、１４については、それぞれの上端部及び下端部にねじ止め用のねじ挿通孔Ｈ１が形成されているが、パネルユニット１３については、上端部だけにねじ挿通孔Ｈ１が形成されており、パネルユニット１３の下端部については、壁面にねじ止めしないようになっている。このように、パネルユニット１３の下端部を壁面にねじ止めしなかったのは、収納ユニット４０がパネルユニット１３の下端部にカムロック固定具によって支持されるので、カムロック固定具のねじ受けをドライバーで締め付けたときにパネルユニット１３と収納ユニット４０との間に隙間が形成されないようにするためである。
【００１９】
また、パネルユニット１１〜１３には、カムロック固定具のねじを螺着するためのねじ孔ＳＨが形成されていると共に、パネルユニット１１には、小型ラックＬ１を取り付けるための取付孔Ｈ２が形成されており、棚板２０、収納ユニット３０、４０及び小型ラックＬ１がバックパネル１０の所定位置にそれぞれ取り付けられるようになっている。なお、図２においては、分かりやすくするために、ねじ挿通孔、ねじ孔及び取付孔をそれぞれ一点鎖線の円で取り囲み、その円に符号を付している。
【００２０】
前記棚板２０の下面には、図３に示すように、バックパネル１０に当接する左右の当接縁部にそれぞれ２個のねじ受け５１が所定間隔を開けた状態で埋設されており、この４個のねじ受け５１がパネルユニット１１〜１３の上位のねじ孔ＳＨに螺着された４本のねじ（図示せず）に係合するようになっている。
【００２１】
前記収納ユニット３０は、図４に示すように、天板３１と、底板３２と、底板３２に取り付けられる蓋フラップ３３と、天板３１と底板３２とを連結する左右一対の背板３４及び仕切板３５とから構成されており、図５（ａ）、（ｂ）に示すように、天板３１は、底板３２の前端縁から所定長さｌだけ前方側に張り出している。
【００２２】
前記天板３１の下面には、図５（ａ）に示すように、バックパネル１０に当接する左右の当接縁部の前端部にそれぞれ１個のねじ受け５１が埋設されており、このねじ受け５１がパネルユニット１１の中位のねじ孔ＳＨに螺着された２本のねじ（図示せず）に係合するようになっている。
【００２３】
前記底板３２の下面には、図５（ｂ）に示すように、バックパネル１０に当接する左右の当接縁部にそれぞれ２個のねじ受け５１が所定間隔を開けた状態で埋設されており、この４個のねじ受け５１がパネルユニット１２、１３の中位のねじ孔ＳＨに螺着された４本のねじ（図示せず）に係合するようになっている。
【００２４】
前記背板３４には、図４に示すように、その前端部及び後端部にそれぞれねじ止め用のねじ挿通孔Ｈ３が形成されており、収納ユニット３０は、背板３４部分でバックパネル１０にねじ止めされるようになっている。なお、図４においては、分かりやすくするために、ねじ挿通孔を一点鎖線の円で取り囲み、その円に符号を付している。
【００２５】
前記収納ユニット４０は、図６に示すように、天板４１と、底板４２と、天板４１と底板４２とを連結する左右一対の背板４３と、天板４１、底板４２及び左右一対の背板４３によって形成される内部空間に出し入れ自在に収容される引出本体４４とから構成されており、底板４２の上面には一対のスライドガイド（図示せず）が、引出本体４４の下面にはスライドガイドに摺動自在に嵌合するスライドレール（図示せず）が取り付けられている。
【００２６】
前記底板４２の下面には、図７に示すように、バックパネル１０に当接する左右の当接縁部にそれぞれ２個のねじ受け５１が所定間隔を開けた状態で埋設されており、この４個のねじ受け５１がパネルユニット１１〜１３の下位のねじ孔ＳＨに螺着された４本のねじ（図示せず）に係合するようになっている。
【００２７】
前記背板４３には、図６に示すように、その前端部、中間部及び後端部にそれぞれねじ止め用のねじ挿通孔Ｈ４が形成されており、収納ユニット４０は、背板４３部分でバックパネル１０にねじ止めされるようになっている。なお、図６においては、分かりやすくするために、ねじ挿通孔を一点鎖線の円で取り囲み、その円に符号を付している。
【００２８】
上述した棚板２０や収納ユニット３０、４０をリビングダイニングの入隅部に取り付けるには、まず、パネルユニット１１〜１４によって構成されるバックパネル１０を、その上下縁が水平になるように位置決めした状態で、各ねじ挿通孔Ｈ１に挿通したねじによって入隅部の壁面Ｗ１、Ｗ２にねじ止めする。このとき、コンセントＣ部分を避けるように、４種類のパネルユニット１１〜１４を配置することで、図２に示すように、バックパネル１０にコンセントＣを露出させる開口を形成する。
【００２９】
続いて、パネルユニット１１〜１３のねじ孔ＳＨにカムロック固定具のねじを螺着すると共に、棚板２０の下面や収納ユニット３０の天板３１及び底板３２、収納ユニット４０の底板４２の下面にカムロック固定具のねじ受け５１を取り付ける。そして、ねじ受け５１をパネルユニット１１〜１３に螺着されたねじに係合させることによって、カムロック固定具を介して、棚板２０や収納ユニット３０、４０をバックパネル１０に支持した後、ねじ受け５１をドライバーで締め付けることで、棚板２０や収納ユニット３０、４０をバックパネル１０に固定する。
【００３０】
この状態では、収納ユニット３０、４０がバックパネル１０に水平に位置決めされているので、それぞれの背板３４、４３部分を、ねじ挿通孔Ｈ３、Ｈ４に挿通したねじによってバックパネル１０にねじ止めすると、収納ユニット３０、４０がバックパネル１０に水平状態で完全に固定される。
【００３１】
最後に、バックパネル１０の取付孔Ｈ２に小型ラックＬ１を取り付けると共に、対面キッチンの開口部を構成している間仕切壁の端面に無目枠ＦＭをねじ止めし、その無目枠ＦＭに小型ラックＬ２を取り付ける。
【００３２】
以上のように、この収納ユニットの取付構造では、バックパネル１０の所定位置にカムロック固定具のねじが螺着されるねじ孔ＳＨを予め形成しておき、入隅部の壁面に上下縁が水平になるように固定設置されたバックパネル１０に、カムロック固定具を介して、収納ユニット３０、４０を支持した状態で、それぞれの背板３４、４３部分をバックパネル１０にねじ止めするようにしたので、従来のように、壁面に桟木を水平に取り付けなくても、収納ユニット３０、４０を水平状態に固定設置することが可能となり、すっきりと仕上げることができる。
【００３３】
また、この収納ユニットの取付構造では、バックパネル１０を複数のパネルユニット１１〜１４に分割し、分割された複数のパネルユニット１１〜１４を、入隅部の壁面に取り付けられたコンセントＣ部分を避けるように配置した状態で、入隅部の壁面に固定設置することで、バックパネル１０にコンセントＣを露出させる開口を形成したので、現場において、ある程度の厚みのある１枚もののバックパネルに，コンセントを露出させるための孔加工を施す必要がなく、施工性が向上する。
【００３４】
なお、上述した実施形態では、収納ユニット３０、４０をバックパネル１０に位置決めするためにカムロック固定具を使用しているが、これに限定されるものではなく、例えば、バックパネルにダボを取り付け、収納ユニットの底板等の下面に形成した凹部をダボに嵌合させることによって、収納ユニットをバックパネルに位置決めするようにしてもよい。
【００３５】
また、収納ユニットは、上述したボックスタイプの収納ユニット３０や引き出しタイプの収納ユニット４０に限定されるものではなく、天板、底板及びこれらを連結する背板を備えた種々のタイプの収納ユニットに適用することができる。
【産業上の利用可能性】
【００３６】
本発明は、室内の入隅部に収納ユニットを設置する場合に利用することができる。
【符号の説明】
【００３７】
１０  バックパネル
１１〜１４  パネルユニット
２０  棚板
３０  ボックスタイプの収納ユニット
３１  天板
３２  底板
３３  蓋フラップ
３４  背板
３５  仕切板
４０  引き出しタイプの収納ユニット
４１  天板
４２  底板
４３  背板
４４  引出本体
５１  ねじ受け（支持部材）
Ｃ  コンセント
ＦＭ  無目枠
Ｈ１、Ｈ３、Ｈ４  ねじ挿通孔
Ｈ２  取付孔
Ｌ１、Ｌ２  小型ラック
ＳＨ  ねじ孔（支持部材の取付孔）
Ｗ１、Ｗ２  壁面
【図１】
2016067578.tif 000003
【図２】
2016067578.tif 000004
【図３】
2016067578.tif 000005
【図４】
2016067578.tif 000006
【図５】
2016067578.tif 000007
【図６】
2016067578.tif 000008
【図７】
2016067578.tif 000009